(57)【要約】【課題】  記録媒体中にユーザが消したくない画像がある場合に、気付かずにフォーマットすることを無くす。【解決手段】  記録媒体（４０）には、記録された画像を管理する画像データベース（４２）が格納され、記録媒体（４０）をカメラ（１０）に接続したとき、データベース管理部（２８）が、画像データベース（４２）をメモリ（３０）にキャッシュする。画像データベース（４２）は、各画像のプロテクト情報を含む。ユーザのフォーマット指示に対し、画像選択部（３４）は、データベース管理部（２８）にプロテクト設定された画像を問い合わせる。問い合わせに合致する複数の画像を一覧表示する確認画面が表示部（２４）に表示される。ユーザのフォーマット承認操作により、フォーマッタ（３２）が記録媒体（４０）をフォーマットする。【選択図】  図１
2010011313.tif 000002
【特許請求の範囲】
【請求項１】
記録媒体に画像を記録又は再生する装置であって、
ユーザの指示を受け付けるユーザ指示部と、
前記記録媒体にアクセスする記録媒体アクセス部と、
前記記録媒体に記録される画像データに関する画像データベースを管理するデータベース管理部と、
前記ユーザ指示部による前記記録媒体のフォーマットの指示に応じて、前記画像データベースを参照し、前記記録媒体に記録される画像の内で条件に合致する画像を選択する画像選択手段と、
前記画像選択手段で選択された画像を含む確認画面を表示する表示手段と、
前記確認画面でのユーザの確認を得て、前記記録媒体をフォーマットする手段
とを具備することを特徴とする画像処理装置。
【請求項２】
前記画像選択手段は、前記記録媒体に記録される画像からユーザのお気に入りの画像を選択することを特徴とする請求項１に記載の画像処理装置。
【請求項３】
前記画像選択手段は、前記記録媒体に記録される画像の内、ユーザがプロテクトを設定した画像を選択することを特徴とする請求項１に記載の画像処理装置。
【請求項４】
前記画像選択手段は、前記記録媒体に記録される画像の内、表示頻度の低い画像を選択することを特徴とする請求項１に記載の画像処理装置。
【請求項５】
前記画像選択手段は、前記記録媒体に記録される画像の内、表示頻度の高い画像を選択することを特徴とする請求項１に記載の画像処理装置。
【請求項６】
前記確認画面に対し、前記フォーマットをキャンセルできることを特徴とする請求項１に記載の画像処理装置。
【請求項７】
更に、第２の記録媒体を有し、
前記画像選択手段は、前記記録媒体のフォーマット指示に対して、前記記録媒体に記録されるが、前記第２の記録媒体には記録されない画像を選択する
ことを特徴とする請求項１に記載の画像処理装置。
【請求項８】
記録媒体に記録された複数の画像データのうち、所定の条件に合う画像データを選択する選択部と、
初期化の指示に応じて、前記選択部により選択された画像データを示す画像を含む初期化の確認画面を表示装置に表示する表示手段と、
前記確認画面を表示した後で初期化の実行が指示された場合に前記記録媒体を初期化する手段とを備える画像処理装置。
【発明の詳細な説明】
【技術分野】
【０００１】
本発明は、画像処理装置に関し、より具体的には、記録媒体の初期化処理に関する。
【背景技術】
【０００２】
デジタルカメラやデジタルビデオカメラのような、撮影画像を書き換え可能な記録媒体に記録する撮像装置には、記録媒体を初期化（フォーマット）する機能が装備されている。初期化により、記録媒体に記録されていた全データ（画像データを含む）が消去される。
【０００３】
特許文献１には、ユーザが記録媒体をフォーマットする場合に、削除されることになる全画像を表示部に表示することが記載されている。表示方法として、インデックス表示とスライドショー表示の二つが選択できる。これにより、ユーザは、消去してはならない画像が含まれているかいないかを実行前に確認できる。
【特許文献１】特開２００１−２８５７５８号公報
【発明の開示】
【発明が解決しようとする課題】
【０００４】
今日、デジタルカメラやデジタルビデオカメラに搭載可能な記録媒体の容量は数ギガバイトを超え、保存できる画像数も格段に増えてきている。このような状況でユーザに初期化前に全記録画像を表示しても、全画像について消去の可否を判断するのに非常に時間がかかってしまう。例えば、１０００枚の静止画を消去時に提示された場合、全て削除して良いかを確認するために膨大な時間がかかることは容易に想像できる。
【０００５】
また、スライドショー表示を使ったとしても、スライドショーで提示される静止画をすべて見る為には長い確認時間が必要である。
【０００６】
このような問題は、撮像装置に限らず、大容量の取り外し可能な記録媒体を使って静止画像又は動画像を記録再生する画像記録再生装置にも共通する。
【０００７】
本発明は，このような問題点を解決し、記録済み画像の消去の要否を短時間で確認可能な画像処理装置を提示することを目的とする。
【課題を解決するための手段】
【０００８】
上記の課題を解決するために、本発明に係る画像処理装置は、記録媒体に画像を記録又は再生する装置であって、ユーザの指示を受け付けるユーザ指示部と、前記記録媒体にアクセスする記録媒体アクセス部と、前記記録媒体に記録される画像データに関する画像データベースを管理するデータベース管理部と、前記ユーザ指示部による前記記録媒体のフォーマットの指示に応じて、前記画像データベースを参照し、前記記録媒体に記録される画像の内で条件に合致する画像を選択する画像選択手段と、前記画像選択手段で選択された画像を含む確認画面を表示する表示手段と、前記確認画面でのユーザの確認を得て、前記記録媒体をフォーマットする手段とを具備することを特徴とする。
【０００９】
本発明に係る画像処理装置は、記録媒体に記録された複数の画像データのうち、所定の条件に合う画像データを選択する選択部と、初期化の指示に応じて、前記選択部により選択された画像データを示す画像を含む初期化の確認画面を表示装置に表示する表示手段と、前記確認画面を表示した後で初期化の実行が指示された場合に前記記録媒体を初期化する手段とを備える。
【発明の効果】
【００１０】
本発明によれば、ユーザがフォーマット操作をするとき、記録媒体に記録された膨大な画像の中からユーザにとって重要であると考えられる基準で画像を選択して表示する。重要であると考えられる画像を優先的にユーザに提示することで、ユーザがフォーマット対象の全ての画像を見なくとも、最初のいくつかの画像を見るだけでフォーマット処理に移行できる可能性がある。これは、ユーザの手間を削減することにつながる。また、記録媒体中にユーザが消したくない画像がある場合に、誤ってフォーマットすることが無くなる。
【発明を実施するための最良の形態】
【００１１】
以下、図面を参照して、本発明の実施例を詳細に説明する。
【実施例１】
【００１２】
図１は、本発明に係る画像処理装置の一実施例を組み込んだデジタルカメラの概略構成ブロック図である。ユーザ指示部１２は、デジタルカメラ１０に対するユーザの指示を受け付けるインターフェイスであり、全体制御部１４は、ユーザ指示部１２によるユーザの指示内容に応じてデジタルカメラ１０を制御する。
【００１３】
映像入力部１６は、撮影光学系、撮像素子、及び撮像素子の出力画像信号を所定形式に変換する処理回路からなる。符号化復号化部１８は、映像入力部１６からの画像信号を符号化して符号化画像データを生成する符号化機能と、符号化画像データを復号化して画像データを復元する復号化機能を持つ。撮影モード（又は記録モード）では、符号化復号化部１８は、映像入力部１６からの画像データを圧縮符号化して、符号化画像データを生成する。再生モードでは、符号化復号化部１８は、記録媒体４０から読み出された符号化画像データを復号化して、再生画像データを生成する。
【００１４】
グラフィック生成部２０は、メニュー画像及び種々のグラフィック画像データを生成する。合成部２２は、グラフィック生成部２０が生成したグラフィック画像データ、映像入力部１６からの撮影画像データ、及び符号化復号化部１８からの再生画像データを、全体制御部１４からの指示に従って合成又は選択する。表示部２４は、合成部２２からの合成画像データ（又は選択画像データ）を画像表示する。
【００１５】
記録媒体４０は、画像データを記録する記録媒体である。記録媒体４０の例として、半導体メモリカード，光ディスク，磁気ディスク等がある。記録媒体４０はカメラ１０に内蔵されるものでも、着脱自在なものでも、どちらでもよい。記録媒体アクセス部２６は、記録媒体４０にデータを書き込み、記録媒体４０からデータを読み出すインターフェイスである。
【００１６】
データベース管理部２８は、記録媒体４０から、記録画像を管理する画像データベース４２を読み出し、メモリ３０にキャッシュ（蓄積）し、所定のタイミングで記録媒体４０に書き戻す。画像データベース４２が記録されていない記録媒体４０が接続されたとき、又は記録媒体４０がフォーマットされたときには、データベース管理部２８は、記録媒体４０に画像データベース４２を記録する。詳細は後述するが、画像データベース４２は、記録画像の記録日時及び画像コンテンツ名などを含む。
【００１７】
フォーマッタ３２は、全体制御部１４からの指示に従い、記録媒体アクセス部２６を介して、記録媒体４０をフォーマットする。
【００１８】
画像選択部３４は、ユーザ指示に応じて画像データベース管理部２８に問い合わせて、記録媒体４０に記録されている画像の内から１又は複数の画像を選択する。
【００１９】
図２は、表示部２４とユーザ指示部１２の配置例を示す。表示部２４とユーザ指示部１２は、カメラ１０の背面に配置される。ユーザ指示部１２は、表示部２４の表示画面上のカーソルを移動させる為の十字キー１２−１を具備する。ユーザはまた、プロテクトボタン１２−２により、希望の画像をプロテクト（消去禁止）とその解除を指示できる。お気に入りボタン１２−３は、ユーザがお気に入り情報を設定するのに使用される。
【００２０】
図３に示す例では、表示部２４の画面上に６つの記録画像のサムネイルが一覧表示されており、その内の一つのサムネイルが選択状態として画像選択枠５０付きで表示されている。また、次の６つの画像の画面に切り替えるための次画面ボタン５２も表示されている。十字キー１２−１で次画面ボタン５２を選択した状態で決定操作することで、次の６つの記録画像のサムネイル画像が、新たに表示部２４の画面上に表示される。
【００２１】
画像データベース４２の内容を説明する。図３は、画像データベース４２の構成例を示す。メモリ３０に一時記憶される画像データベースも同じ構成からなる。画像データベース４２は、画像毎に、画像データの管理Ｎｏ、画像コンテンツ名、記録日時、画像データのお気に入り情報、画像データ毎のプロテクト情報及びユーザ参照回数を記憶する。
【００２２】
画像データの管理Ｎｏは、画像一枚ずつに対して割り当てられるユニークな番号である。画像コンテンツ名は、画像データに付けられたファイル名（又はユーザが別途付与した名前）である。記録日時は、画像データが記録媒体４０に記録された日時を示す。画像データのお気に入り情報は、記録媒体４０への記録後に、ユーザ指示部１２を使ってユーザが設定したランク又はレベルの情報からなる。この情報により、画像参照時にユーザが画像の要否又は重要度を判断しやすくなる。プロテクト情報は、各画像に対する削除禁止の設定情報である。プロテクトが有効であれば、その画像の画像データは削除不可能となる。プロテクトが有効な画像データを削除する場合、まずプロテクトの設定を無効にしたうえで、削除の操作を実施する。ユーザ参照回数は、画像データを再生した回数を示す。
【００２３】
記録媒体４０をカメラ１０に接続したときの動作を説明する。記録媒体４０が記録媒体アクセス部２６に接続されると、データベース管理部２８が、記録媒体４０中に画像データベース４２が記録されているか否かを調べる。図４（Ａ）に示すように画像データが記録されているが、画像データベース４２が存在しない記録媒体４０がデジタルカメラ１０に接続されたとする。データベース管理部２８は、記録媒体アクセス部２６を介して、記録媒体４０に記録される画像データを調べて画像データベース４２を生成し、図４（Ｂ）に示すように記録媒体４０に書き込む。図５は、記録媒体４０に書き込まれる画像データベース４２の構成例を示す。この段階では，画像コンテンツ名（ファイル名）と記録日時のみが分かるので、画像データＮｏ．とこれらの欄のみに、対応するデータが記入される。ユーザ参照回数は初期値として０になる。
【００２４】
画像データベース４２を記録済みの記録媒体４０がカメラ１０に接続された場合は、次のようになる。即ち、データベース管理部２８が、記録媒体４０中に画像データベース４２が存在することを確認すると、記録媒体アクセス部２６を介して記録媒体４０から画像データベース４２を読み出し、メモリ３０にキャッシュする。画像データベース４２のコピーが、種々の作業用にメモリ３０に格納される。メモリ３０に格納されるデータは、カメラ１０の電源オフにより消去される。従って、カメラ１０の電源をオンにしたときも、データベース管理部２８は、接続する記録媒体４０から画像データベース４２を読み出し、メモリ３０にキャッシュする。
【００２５】
記録媒体４０に記録される画像を再生するときの動作、特に、画像データベース４２のユーザ参照回数の更新動作を説明する。図６は、７つの画像が記録されている場合の画像データベース４２の内容例と、最初のインデックス画面（２）と、２つ目のインデックス画面の例を示す。
【００２６】
ユーザは、ユーザ指示部１２で画像再生モードを全体制御部１４に指示する。全体制御部１４は、画像選択部３４に対して、表示部２４に表示すべき画像データの選択を指示する。画像選択部３４は、データベース管理部２８を介してメモリ３０の画像データベースにアクセスし、画像データＮｏを元に所定数、例えば、６つの画像を順番に再生するように記録媒体アクセス部２６に指示する。記録媒体アクセス部２６は指定された画像の記録データ（符号化画像データ）を順に記録媒体４０から読み出し、符号化復号化部１８に供給する。符号化復号化部１８は、記録媒体アクセス部２６からの符号化画像データを復号化し、インデックス表示の大きさに縮小して合成部２２に供給する。
【００２７】
全体制御部１４は、未表示の画像の存在を示す文字、記号又はアイコン（例えば，矢印マーク）の次画面ボタン５２をグラフィック生成部２０に生成させる。合成部２２は、符号化復号化部１８からの６つのサムネイル画像を含むインデックス画像にグラフィック生成部２０からのグラフィック画像を合成し、合成画像を表示部２４に供給する。これにより、例えば，図６（２）に示すようなインデックス画面が、生成表示される。
【００２８】
ユーザがユーザ指示部１２で次画面ボタン５２を選択して、次画面への移行を全体制御部１４に指示すると、全体制御部１４は、画像選択部３４に対して、表示部２４に次の６つの画像データの選択を指示する。これにより、先と同様の手順で、画像選択部３４、記録媒体アクセス部２６及び符号化復号化部１８により、インデックス画面に表示すべきサムネイル画像が生成される。図６に示す例では、画像データＮｏ＝７に対応する画像データのサムネイル画像のみが生成される。合成部２２は、符号化復号化部１８からの１つのサムネイル画像を含むインデックス画像にグラフィック生成部２０からのグラフィック画像を合成し、合成画像を表示部２４に供給する。これにより、例えば，図６（３）に示すようなインデックス画面が、生成表示される。
【００２９】
ユーザは、表示部２４に表示されるインデックス画面上で選択枠（又はカーソル）５０（図６（２），（３））を移動させることで、再生を希望する画像を指定できる。選択枠５０自体は、全体制御部１４からの制御下で、グラフィック生成部２０が生成する。合成部２２が、生成された選択枠を符号化復号化部１８からの画像に合成する。ユーザがユーザ指示部１２により「カーソルを右に移動」と全体制御部１４に指示すると、全体制御部１４は、その指示に応じて、グラフィック生成部２０に選択枠の出力タイミングを変更させる。
【００３０】
図７（１）に示すインデックス画面で画像ＩＭＧ＿０００３．ＪＰＧが再生対象として選択されたとする。ユーザが、ユーザ指示部１２を使って、選択された画像の再生を全体制御部１４に指示したとする。全体制御部１４は、画像選択部３４を介して、記録媒体アクセス部２６に該当する画像の再生を指示する。この指示に応じて、記録媒体アクセス部２６は、該当する画像の記録データ（符号化画像データ）を記録媒体４０から読み出し、符号化復号化部１８に供給する。符号化復号化部１８は、記録媒体アクセス部２６からの符号化画像データを復号化し、再生画像データを合成部２２に供給する。このとき、合成部２２は、符号化復号化部１８からの再生画像データをスルーして表示部２４に供給する。表示部２４は、図７（２）に示すように、所定の降る画面サイズで指定された画像を表示する。
【００３１】
画像選択部３４は、選択された画像の再生をデータベース管理部２８に通知し、データベース管理部２８は、メモリ３０上の画像データベースで、対応する画像のユーザ参照回数を１だけインクリメント（増加）する。この後、データベース管理部２８は、メモリ３０の更新後の画像データベースを記録媒体４０の画像データベース４２に書き戻す。即ち、メモリ３０の更新後の画像データベースで記録媒体４０の画像データベース４２を更新する。
【００３２】
撮影モード（記録モード）での動作を説明する。ユーザは、ユーザ指示部１２で撮影モードを全体制御部１４に指示する。全体制御部１４は映像入力部１６を有効にする。これにより、映像入力部１６は、被写体の画像信号を符号化復号化部１８と合成部２２に出力する。合成部２２は、映像入力部１６からの画像データを表示部２４に供給する。表示部２４の表示画像により、ユーザは、被写体とその構図を確認できる。
【００３３】
ユーザが撮影（記録）をユーザ指示部１２により全体制御部１４に指示すると、全体制御部１４は符号化復号化部１８に映像入力部１６からの入力画像データの符号化を指示する。符号化復号化部１８は、この指示に従い、映像入力部１６からの入力画像データを符号化し、符号化画像データを記録媒体アクセス部２６に供給する。記録媒体アクセス部２６は、既記録の画像と重複しない画像コンテンツ名で、符号化復号化部１８からの符号化画像データを記録媒体４０に記録する。記録媒体４０に記録済みの画像と重複しない画像コンテンツ名は、データベース管理部２８に問い合わせることで判明し、又は、一定のコンテンツ名生成規則に従うことで、重複しない画像コンテンツ名を生成できる。
【００３４】
記録媒体４０への記録と同時に、データベース管理部２８は、新たに記録された画像のレコードをメモリ３０の画像データベースに追加する。図８は、画像データＮｏ．＝８の画像が追加記録された後の、画像データベースの構成例を示す。レコード５４が、追加されたレコードである。このとき、お気に入り情報、プロテクト情報及びユーザ参照回数は初期化される。また、メモリ３０の画像データベースは、更新された後に、記録媒体アクセス部２６を介して記録媒体４０に書き戻される。
【００３５】
先に説明したように、メモリ３０に格納される画像データベースは、変更がある都度、記録媒体４０に書き戻される。画像データベースの変更は、再生と、画像データの新規記録以外に、プロテクト情報と、お気に入り情報の変更がありうる。
【００３６】
再生モードのインデックス画面でプロテクト情報を変更したい画像を選択する。そして、プロテクトボタン１２−２の操作により、選択された画像のプロテクトの要否を指定する。全体制御部１４は画像選択部３４を介してデータベース管理部２８に、対応する画像のプロテクト情報を更新させる。プロテクトされていない状態でプロテクトボタン１２−２が操作されると、プロテクト要になる。逆に、プロテクトされている状態でプロテクトボタン１２−２が操作されると、プロテクト不要になる。
【００３７】
お気に入り情報を追加する場合の動作は、プロテクト情報の更新の動作と基本的に同じである。任意の文字情報を入力したい場合には，画面上に文字入力用のキーボードを表示させれば良い。
【００３８】
記録媒体４０をフォーマットする動作を説明する。ユーザは、ユーザ指示部１２により記録媒体４０のフォーマットを全体制御部１４に指示できる。全体制御部１４は、このフォーマット指示に対応じて、まず、記録媒体４０に記録された複数の画像のうち、ユーザにとって重要と思われる画像を選択して表示部２４に表示する動作（事前確認動作）を開始する。
【００３９】
具体的には、全体制御部１４は、まず、画像選択部３４に対して、記録媒体４０に記録された画像のうち、プロテクトがかけられた画像を選択するように指示する。画像選択部３４は、データベース管理部２８にプロテクトされた画像を問い合わせる。画像選択部３４は、プロテクトされた画像の符号化画像データの記録媒体４０からの読み出しを記録媒体アクセス部２６に指示する。読み出された符号化画像データは、符号化復号化部１８で復号化され、確認画面として表示部２４に表示される。図９は、図８に例示する画像データベースに対する確認画面例である。図９では、消去の要否をユーザに問うボタン５６，５８と、次画面ボタン６０が、同時に表示されている。図９に示す例では、３つの画像を同時に表示でき、図８に示す例では、プロテクトされた４つの画像があることから、次画面ボタン６０が表示される。次画面が無い場合、次画面ボタン６０は表示されない。画像の内容を確認する必要があることから、確認画面では、個々の画像をインデックス画面よりも大きく表示している。
【００４０】
このように、フォーマット時に、まずプロテクト情報というユーザに関心があると思われる画像を優先的にユーザに提示することで、フォーマット操作の注意を喚起できる。ユーザは、表示された画像を見ながら、フォーマットの要否を判断する。フォーマットしてよければ「ＹＥＳ」ボタン５６を選択し、フォーマットをキャンセルするのであれば「ＮＯ」ボタン５８を選択する。次の確認画面を表示したいのであれば、次画面ボタン６０を選択する。これにより、未表示の、プロテクトされた画像が一覧表示される。
【００４１】
「ＹＥＳ」ボタン５６の選択に対し、全体制御部１４は、フォーマッタ３２にフォーマット実行を指示する。フォーマッタ３２は、フォーマット実行の指示に従い、記録媒体アクセス部２６を介して記録媒体４０をフォーマットする。このとき、記録媒体４０に記録される全画像と画像データベースは消去される。これに対応して、データベース管理部２８は、メモリ３０に記憶する画像データベースを消去する。
【００４２】
図９に示す例では、３つの画像を同時に表示しているが、２つ以下でも、４つ以上でもよいことは明らかである。さらに、プロテクトされている画像を確認画面で表示したが、他の基準で選択した画像を確認画面で表示しても良い。他の基準には、記録日時が古い画像データ、表示頻度の高い画像データ、又、反対に表示頻度の低い画像データなどがある。これらの基準はいずれも、画像選択部３４がデータベース管理部２８に問い合わせれば得られる情報である。
【００４３】
本実施例では、画像選択部３４は、選択対象の画像に付加されているプロテクト情報の検出順に記録画像を表示部２４に表示した。但し、表示順は、プロテクト情報の検出順に限定されない。例えば、プロテクト情報とお気に入り情報の二つの情報をもつ画像を選択して表示してもよい。図１０に例示する画像データベースにおいて、画像選択部３４は、お気に入り情報６２が設定され、且つプロテクト情報６４が設定された画像を選択する。図１０に示す例では、画像ＩＭＧ＿０００１．ｊｐｇ，ＩＭＧ＿０００４．ｊｐｇ，ＩＭＧ＿０００５．ｊｐｇが、これに相当する。選択枚数が表示枚数に到達しない場合は、更に順位付けを行う。例えば、お気に入りまたはプロテクトの何れか一方が設定された画像のうち、お気に入りが設定された画像を選択して表示する。それでも表示画面数に達しない場合には、プロテクト設定された画像を選択して表示する。このように画像の表示順位が決定される、図１０に示す例では、画像ＩＭＧ＿０００２．ｊｐｇと画像ＩＭＧ＿０００６．ｊｐｇがまず表示され、その後に、プロテクト情報のみをもつ画像ＩＭＧ＿０００３．ｊｐｇが表示される。
【００４４】
なお、お気に入り情報とプロテクト情報に基づいて画像を選択したが、画像データベースのほかの要素を利用してもよい。例えば、記録日時が古いほうを優先にする、ユーザ参照回数が多いものを優先にするなどである。
【００４５】
このようにして、ユーザがフォーマットの実行を全体制御部１４に指示した場合に、決められた条件に従って選択した記録画像を確認画面に表示する。そのため、ユーザは、ユーザにとって重要度が高いと思われる記録画像の内容を確認した上で、フォーマットの実行を決断できる。フォーマットをキャンセルするのに、記録媒体に記録された全画像を確認しなくて良くなる。
【実施例２】
【００４６】
図１１は、本発明の実施例２の概略構成ブロック図を示す。図１と同じ構成要素には同じ符号を付してある。本実施例では、複数の記録媒体４０ａ，４４ａが、カメラ１０ａに接続する。全体制御部１４ａ、記録媒体アクセス部２６ａ、データベース管理部２８ａ、メモリ３０ａ及び画像選択部３４ａはそれぞれ、図１に示す実施例の対応要素に対して、２つの記録媒体を扱えるように機能が拡張されている。
【００４７】
記録媒体アクセス部２６ａは、記録媒体４０ａ，４４ａのどちらにもアクセス可能であり、画像データを記録再生できる。記録媒体アクセス部２６ａは、記録媒体４０から記録媒体４４に、またその逆に画像データをコピー又は移動できる。
【００４８】
データベース管理部２８ａは、メモリ３０ａに、記録媒体４０ａの画像データベース４２ａのコピーと、記録媒体４４ａの画像データベース４６ａのコピーを同時に格納できる。メモリ３０ａにキャッシュされる画像データベースには、図１２に示すように、記録媒体４０ａ，４４ａを識別するための媒体ＩＤが付加される。
【００４９】
カメラ１０ａは、初期化時に又は最初に接続された記録媒体に対して、ユニークな媒体ＩＤを付与し、当該記録媒体に記録する。例えば、画像データがＪＰＥＧ形式のものであれば、ＥＸＩＦと呼ばれるデータ領域に記録される。この媒体ＩＤは、撮影により記録媒体に記録される画像データに埋め込まれると共に、画像データベースにも書き込まれる。これにより、他の記録媒体に画像データがコピーされた場合に、オリジナルの記録媒体を明らかにすることができる。
【００５０】
例えば、図１２に示す例では、記録媒体Ａには、７枚の画像データＩＭＧ＿０００１．ｊｐｇ〜ＩＭＧ＿０００７．ｊｐｇが記録され、記録媒体Ｂには、画像データＩＭＧ＿０００４．ｊｐｇが記録されている。ＩＭＧ＿０００４．ｊｐｇという名前の画像データがどちらの記録媒体Ａ，Ｂにも存在するが、媒体ＩＤが異なるので、両者を識別できる。
【００５１】
ユーザは、ユーザ指示部１２により全体制御部１４に指示して、記録先及び再生元として、記録媒体４０ａと記録媒体４４ａとの間で相互に切り替えできる。ユーザ指示部１２からの記録媒体切替え指示に応じて、全体制御部１４ａは、記録媒体アクセス部２６ａに記録媒体の切り替えを指示する。記録媒体アクセス部２６ａは、記録媒体４０ａ，４４ａへのアクセスが無いことを確認した後、記録媒体４０ａから記録媒体４４ａ、又はその逆に切り替える。
【００５２】
例えば、図１２は、次のような利用状況を示す。まず、記録媒体４０ａ（記録媒体Ａ）に７枚の画像データＩＭＧ＿０００１．ｊｐｇ〜ＩＭＧ＿０００７．ｊｐｇを記録する。その後、記録媒体４４ａ（記録媒体Ｂ）に切り替え、記録媒体４４ａに画像データＩＭＧ＿０００４．ｊｐｇを記録する。
【００５３】
記録媒体４０ａから記録媒体４４ａに画像データをコピーする場合を説明する。図１３は、コピー前の記録媒体４０ａの画像データベース４２ａの内容例を示す。
【００５４】
ユーザはまず，コピー元となる記録媒体４０ａをユーザ指示部１２で選択し、記録媒体４０ａの記録画像が表示部２４にインデックス表示させる。ユーザは表示部２４のインデックス表示を見て、記録媒体４４ａにコピーしたい画像を選択し、コピーを指示する。全体制御部１４ａは、ユーザ指示部１２からのコピー指示に従い、記録媒体アクセス部２６ａを制御して、選択された画像の画像データを記録媒体４０ａから記録媒体４４ａにコピーさせる。このとき、記録媒体４０ａ，４４ａの画像データベース４２ａ，４６ａと、メモリ３０ａの画像データベースも、図１４に示すような内容に更新される。図１４で、網掛けした画像データが、記録媒体４０ａから記録媒体４４ａにコピーされた画像データである。
【００５５】
このコピー後に、記録媒体４０ａをフォーマットする場合、次のように動作する。ユーザが、ユーザ指示部１２により全体制御部１４に記録媒体４０ａのフォーマットを指示したとする。全体制御部１４は、記録媒体４０ａのフォーマットに先立ち、画像選択部３４ａに画像選択を指示する。画像選択部３４ａは、この指示に従い、記録媒体４４ａに存在せず、且つ記録媒体４０ａに存在する画像データをデータベース管理部２８ａに問い合わせる。データベース管理部２８ａは、メモリ３０ａの画像データベースを参照し、問い合わせ条件に合致する画像を画像選択部３４ａに通知する。
【００５６】
画像選択部３４ａは、通知された画像の画像データを記録媒体アクセス部２６ａに記録媒体４０ａから読み出させる。読み出された画像データは，符号化復号化部１８で復号化され、合成部２２及び表示部２４により、図１５に示すような確認画面で一覧表示される。図１４に示す例では、４枚の画像（ＩＭＧ＿００３．ｊｐｇ、ＩＭＧ＿００４＿ｊｐｇ、ＩＭＧ＿００５．ｊｐｇ、ＩＭＧ＿００６．ｊｐｇ）が、記録媒体４０ａに記録されるが、記録媒体４４ａには記録されない画像である。これらの画像が選択されて、図１５に示すような確認画面に表示される。
【００５７】
図１５に示す確認画面では、消去の要否をユーザに問うボタン７０，７２と、次画面ボタン７４が、同時に表示されている。図１５に示す例では、一度に表示できるのは３枚の画像であるから、表示されていない画像があることを示す次画面ボタン７４も同時に表示される。次画面が無い場合、次画面ボタン７４は表示されない。
【００５８】
この確認画面により、ユーザの誤操作を防止できる。即ち、ユーザは記録媒体４０ａの画像データを記録媒体４４ａにコピーしたと勘違いした状態で、記録媒体４０ａをフォーマットすると、記録媒体４０ａから大事な画像データが消えてしまうことになる。しかし、確認画面で、記録媒体４０ａにしか記録されていない画像を一覧表示するので、このような誤操作を防止できる。
【００５９】
本実施例では、各記録媒体４０ａ，４４ａに同一の画像データが含まれるか否かは、画像コンテンツ名と媒体ＩＤの組み合わせで判断する。同一の画像データか否かを判断する助けとなる情報としては、記録日時及び画像データサイズなどがある。これらの１又は複数の要素を画像データの一致の判断に用いてもよい。
【００６０】
「ＹＥＳ」ボタン７０の選択に対し、全体制御部１４ａは、フォーマッタ３２にフォーマット実行を指示する。フォーマッタ３２は、フォーマット実行の指示に従い、記録媒体アクセス部２６を介して記録媒体４０ａをフォーマットする。このとき、記録媒体４０ａに記録される全画像と画像データベースは消去される。これに対応して、データベース管理部２８ａは、メモリ３０ａに記憶する画像データベースから記録媒体４０ａに関連するレコードを消去する。
【００６１】
この様に、複数の記録媒体を使用する場合において、フォーマットしようとする記録媒体のみに記録される画像を確認画面に表示することで、唯一の画像データを誤消去することを防止できる。
【００６２】
記録媒体４０ａをカメラ１０ａから取り外したとする。このとき、記録媒体アクセス部２６ａが、記録媒体４０ａの取り外しを検出し、検出結果をデータベース管理部２８ａに通知する。データベース管理部２８ａは、外された記録媒体４０ａに関するレコードをメモリ３０ａの画像データベースから消去する。
【００６３】
ユーザが記録媒体４０ａを再びカメラ１０ａに接続したとする。このとき、記録媒体アクセス部２６ａは、記録媒体４０ａの接続をデータベース管理部２８ａに通知する。データベース管理部２８aは、記録媒体４０ａに記録される画像の、画像データベース４２ａとの対応（例えば、ファイル名やファイルサイズの相違等）をチェックする。画像データベース４２ａが記録媒体４０ａに記録される画像と対応しない場合、データベース管理部２８aは、記録媒体４０ａに記録される画像データから新たな画像データベースを作成する。この新たな画像データベースは、記録媒体４０ａに画像データベース４２ａとして上書き記録される。これで、記録媒体４０ａの画像データベース４２ａは、記録媒体４０ａに記録される画像と正しく対応するものとなる。
【００６４】
記録媒体４０ａの画像データベース４２ａが記録媒体４０ａに記録される画像と対応する場合、先に接続される記録媒体４４ａに記録される画像の画像コンテンツ名と記録媒体４０ａに記録される画像の画像コンテンツ名と対比する。さらに、媒体ＩＤにより、画像データがコピーされたものか否かを調べる。媒体ＩＤにより、画像データがコピーされたものか否かと、オリジナルの記録媒体が分かるようになっている。メモリ３０ａの画像データベースを調べることで、記録媒体４０ａと記録媒体４４ａの画像の重複を調べることができる。このように、新しい記録媒体が接続されると、データベース管理部２８ａが、メモリ３０ａの画像データベースを更新して最新の状態に保つ。
【００６５】
この状態でユーザが記録媒体４０ａ又は同４４ａのフォーマットを指示すると、先に説明したように、フォーマット指定された記録媒体のみに記録される画像が一覧表示する確認画面が表示される。ユーザは、その確認画面でフォーマットの実行の可否を判断できる。
【図面の簡単な説明】
【００６６】
【図１】本発明の一実施例の概略構成ブロック図である。
【図２】表示部２４とユーザ指示部１２の配置例である。
【図３】画像データベースの構造例である。
【図４】記録媒体に記録される画像と画像データベースの模式図である。
【図５】画像データベースの構成例である。
【図６】画像データベースの構成例とインデックス画面例である。
【図７】インデックス画面上の画像データを選択した状態と、選択された画像の再生画面例である。
【図８】画像データが追加された状態の画像データベース例である。
【図９】フォーマット指示に対する確認画面例である。
【図１０】お気に入り情報とプロテクト情報に従って優先抽出する場合の設営図である。
【図１１】本発明の実施例２の概略構成ブロック図である。
【図１２】メモリ３０ａに格納される画像データベースの構成例である。
【図１３】コピー前の、メモリ３０ａに格納される画像データベースの構成例である。
【図１４】コピー後の、メモリ３０ａに格納される画像データベースの構成例である。
【図１５】フォーマット指示に対する確認画面例である。
【符号の説明】
【００６７】
１０，１０ａ  デジタルカメラ
１２  ユーザ指示部
１２−１  十字キー
１２−２  プロテクト設定ボタン
１２−３  お気に入り設定ボタン
１４，１４ａ  全体制御部
１６  映像入力部
１８  符号化復号化部
２０  グラフィック生成部
２２  合成部
２４  表示部
２６，２６ａ  記録媒体アクセス部
２８，２８ａ  画像データベース部
３０，３０ａ  メモリ
３２  フォーマッタ
３４，３４ａ  画像選択部
４０，４０ａ  記録媒体
４２，４２ａ  画像データベース
４４ａ  記録媒体
４６ａ  画像データベース
５０  画像選択枠
５２  次画面ボタン
【図１】
2010011313.tif 000003
【図２】
2010011313.tif 000004
【図３】
2010011313.tif 000005
【図４】
2010011313.tif 000006
【図５】
2010011313.tif 000007
【図６】
2010011313.tif 000008
【図７】
2010011313.tif 000009
【図８】
2010011313.tif 000010
【図９】
2010011313.tif 000011
【図１０】
2010011313.tif 000012
【図１１】
2010011313.tif 000013
【図１２】
2010011313.tif 000014
【図１３】
2010011313.tif 000015
【図１４】
2010011313.tif 000016
【図１５】
2010011313.tif 000017